(57)【特許請求の範囲】
【請求項１】
画像露光により架橋した被膜を画像部分として用いるネガ型感光性平版印刷版をアルカリ性現像液を使用して現像する際に、現像槽が浸漬型現像槽であり、現像槽中には搬送用部材を備えるが該感光性平版印刷版表面を擦過する現像促進部材を有せず、現像槽に続く水洗部において該感光性平版印刷版表面を擦過する現像促進部材を設けた現像装置を用いることを特徴とするネガ型感光性平版印刷版の現像方法。
【請求項２】
請求項１に於いて、水洗部に設けた該現像促進部材が駆動ロールであるモルトンロールである現像装置を用いることを特徴とするネガ型感光性平版印刷版の現像方法。
【発明の詳細な説明】
【０００１】
【発明の属する技術分野】
本発明は画像露光されたネガ型の感光性平版印刷版を現像する方法に関し、画質が良好で、耐刷力に優れた印刷版を与えるための現像方法に関する。
【０００２】
【従来の技術】
従来よりネガ型の感光性平版印刷版を現像する方法として少なくとも現像槽および水洗部を備えた自動現像装置を用いて現像を行う方法がとられているが、この場合現像槽に満たされた現像液に版材を浸漬し、かつ現像槽中に設けられたブラシロールあるいはモルトンロール等の現像促進部材を使用して現像槽中において感光層の未露光部を溶出する方法がとられているのが一般的である。
【０００３】
ネガ型の感光性平版印刷版とは、例えばジアゾ樹脂、ケイ皮酸誘導体樹脂、アジド化合物等を利用した光硬化系感光性組成物を利用した印刷版であり、或いは高感度フォトポリマー系を利用した平版印刷版や、高出力（近）赤外線レーザーを利用する系として例えば特開平７−２７１０２９号公報に記載されるような近赤外吸収色素、ノボラック樹脂、レゾール樹脂および光酸発生剤からなる感光性平版印刷版等の例が挙げられる。
【０００４】
上記のような種々のネガ型の感光性平版印刷版を現像する場合に問題となるのは、ネガ型の場合には画像部分が一般に架橋した被膜で形成され、未露光部を現像液で溶解除去する際に、現像液中でブラシあるいはモルトンロールで感光面を擦過することで非画像部の残膜を効率よく除去することが行われるが、画像部においても現像液がある程度浸透していることから被膜の膨潤による画像部強度の低下が起こるため、ブラシあるいはモルトンロールで感光面を擦過すると画像部のはがれや傷が生じることがあり、微少な網点、細線等の再現性に問題を生じることがあった。こうした画像部の欠陥を防ぐためにブラシロールやモルトンロールの感光面への接触圧を弱める等の調整を行うと、今度は非画像部の残膜除去が不十分となり、印刷時の地汚れの原因となることがあった。
【０００５】
さらには、現像後の画像部の皮膜強度が低下することにより、印刷時において画像部のはがれ等が生じるために耐刷力の低下が見られる場合がある。これは現像時に画像部においても現像液がある程度浸透するために皮膜強度が低下するためであり、現像液の浸透性を低下することである程度耐刷力は向上させることはできるが、反面、非画像部の残膜が起こり易く印刷時の地汚れが発生する問題があった。
【０００６】
【本発明が解決しようとする課題】
本発明はネガ型感光性平版印刷版を現像する場合において、画像品質に優れ、印刷時の地汚れの発生が無く、耐刷力に優れた印刷版を与えるための現像方法を提供することである。
【０００７】
【課題を解決するための手段】
本発明の上記目的は、以下の発明によって基本的に達成された。
（１）画像露光により架橋した被膜を画像部分として用いるネガ型感光性平版印刷版をアルカリ性現像液を使用して現像する際に、現像槽が浸漬型現像槽であり、現像槽中には搬送用部材を備えるが該感光性平版印刷版表面を擦過する現像促進部材を有せず、現像槽に続く水洗部において該感光性平版印刷版表面を擦過する現像促進部材を設けた現像装置を用いることを特徴とするネガ型感光性平版印刷版の現像方法。
（２）請求項１に於いて、水洗部に設けた該現像促進部材が駆動ロールであるモルトンロールである現像装置を用いることを特徴とするネガ型感光性平版印刷版の現像方法。
【０００８】
【発明の実施の形態】
本発明における現像槽とは後述するアルカリ性現像液を満たす槽であり、画像露光した感光性平版印刷版がこのアルカリ性現像液に浸漬されるための槽を意味する。上記の方法（１）においては、現像槽中において版材の表面を機械的な力による擦過を全く行わないため、現像槽中での画像へのダメージが最小限に留められることが特徴である。使用する現像液が版材の感光層を十分に溶解させる溶解能を有する場合、或いは感光層の種々のアルカリ性現像液に対する溶解性が十分に高い場合には、現像槽に版材が浸漬された時点で非画像部の溶出除去が始まり、現像槽中で実質的に溶出が完了する場合がある。このような場合においても例えば残膜残りを防止し、或いは網詰まりや抜き文字等を良好に再現するためには、従来技術では現像槽中にモルトンロールやブラシロールを設置し、現像槽中での版材表面の擦過を行っていた。このことで従来技術では後述する種々の感光層（高感度フォトポリマー系等のように感光層表面が比較的柔らかい場合等）に傷が発生し、部分的な画像欠損等の問題がしばしば生じていた。本発明の方法（１）によれば、現像槽中で非画像部の溶出除去が行われる場合においても、より完全に残膜残りを防止し、或いは網詰まりや抜き文字等を良好に再現するために、現像槽に続く水洗部において版材表面を擦過する現像促進部材を設けた現像装置を用いることが有効であることを見出したものである。
【０００９】
本発明の方法（１）に関して、もう一つの場合として、用いるアルカリ性現像液が版材表面の感光層を溶解する能力が低い場合であり、或いは版材の感光層が疎水性が高く、通常のアルカリ性現像液を用いても非画像部の溶解除去が現像液中では進行しにくいような場合であり、特にネガ型の感光性平版印刷版においてしばしばこのような場合があり、さらには近赤外吸収色素等を含むような感光性平版印刷版の現像処理にあたっては顕著となる場合である。このような場合において、従来技術では現像槽中において現像の進行を促進するために現像促進部材としてモルトンロールやブラシロールを設置し、版材表面を強制的に擦過することで非画像部の溶出を行っていたが、画像部への傷の発生や画像部の欠損がより顕著になる場合が多く、特に微小網点の再現においては、網点部分の形状が部分的に削られることで非常に不均一な画質を与える等の問題が発生していた。本発明の方法（１）においては、上記のような現像液中での非画像部の溶出が起こりにくく、現像促進部材の助け無しでは現像が進行しない場合においても、むしろ現像促進部材を現像槽中に設けることを行わず、現像槽中での非画像部の除去を促進せずに、引き続く水洗部において初めて現像促進部材による非画像部の溶出除去を行うことで画像欠陥の発生を防止出来ると共に、印刷版として供した場合において残膜残りもなく非画像部は十分に親水化されていることから地汚れの無い良好な印刷版が提供されることを見出したものであり、さらにはアルカリ性現像液中における画像部分へのダメージが最小限に留められるために耐刷力に優れた印刷版を与えることを見出したものである。
【００１０】
従来技術では現像槽においてブラシロールやモルトンロールなどの現像促進部材による表面擦過が行われてきたが、ネガ型の感光性平版印刷版をこうした方法で現像を行った場合には、アルカリ性現像液で膨潤した状態で画像部表面が擦過されるため画像部に傷が発生したり、細線や微小網点等が欠落するなどの問題が発生した。本発明では、アルカリ性現像液に接触した状態では感光層の表面擦過を行わないことから上記のような問題が回避出来ることが特徴であるが、これだけでは非画像部の残膜除去が不十分である場合があるため、さらに水洗部において感光層の表面擦過を行うことで残膜除去が完全に行われることを見出したものである。即ち、水洗部に搬送された版材はアルカリ性現像液中ではなく水中において表面擦過が行われるため、画像部において浸透したアルカリ性現像液は既に水により希釈された状態にあるためブラシロールやモルトンロール等の現像促進部材を使用して表面擦過を行っても傷の発生が無く、細線や微小網点等が欠落することも回避される訳である。また、水洗部において上記の現像促進部材を使用して表面擦過を行うことで非画像部の残膜除去が十分に行われるため印刷時の地汚れの発生も有効に防止できることが特徴である。さらには、水洗部において現像促進部材により画像部に浸透したアルカリ性現像液の希釈除去が促進されるため、画像部の膨潤状態からの回復が行われ、水により不溶化した強固な画像膜が形成されるため耐刷力が優れ、またインキ着肉性においても良好な平版印刷版が作成されることが特徴である。
【００１１】
本発明の実施形態の一つである上記の方法（１）において現像槽中において非画像部が溶出除去される場合についてさらに説明する。この場合においては、使用するアルカリ性現像液により感光層の非画像部が溶解する場合であるが、非画像部の支持体表面がアルカリ性現像液に（少なくとも部分的にも）直接接触することから非画像部の現像液による親水化作用が進行するため印刷時の地汚れ防止には好ましい。反面、現像液中に感光層成分が溶出することにより、多数版処理を行った場合に現像液に溶け出した感光層成分の蓄積によるスラッジの発生や搬送ロールの汚れ、現像液特性の変化等の好ましくない影響が出る場合がある。これを回避するための一手段としては、処理版数に応じて現像液の補充を十分に行う方法がとられるが、現像廃液の量が増える等の好ましくない場合もある。
【００１２】
本発明の実施形態の一つである上記の方法（１）において、現像槽においては非画像部の溶出除去が行われずに、引き続く水洗部において初めて非画像部の溶出除去が行われる場合についてさらに説明する。この場合には上記のような現像液中に感光層成分が溶出するために引き起こされる現像液特性の変化や補充液量の増加等の問題は回避され、長期間にわたり多数版の処理が安定して行えることから極めて好ましい。現像槽に満たされたアルカリ性現像液に版材が浸漬されることから、非画像部においてアルカリ現像液は十分に浸透されるため非画像部の親水化効果も先の場合と同等に現れるが、さらに水洗部において現像促進部材により非画像部の残膜除去が行われる際に十分に非画像部表面が親水化された状態で露出されることが特徴である。
【００１５】
本発明において、現像槽に続く水洗部とは、版材表面にシャワー等を利用して水洗水を供給する場合や、あるいは水洗槽を設けて版材を浸漬することで水洗する方法等いずれの方法でも好ましく実施できる。さらに、水洗部に続き、版面保護のためのガム液と称されるアラビアガム等を含む液を塗布する工程並びに乾燥工程を設けることも好ましく行われる。
【００１６】
本発明において水洗部に設けられる現像促進部材としては、モルトンロールやブラシロールが好ましく使用される。モルトンロールとしてはレーヨン、ポリプロピレン、ビニロン等の繊維を編み上げて形成したモルトン布を、ニトリルゴム、エチレン−プロピレン共重合体ゴム、ポリウレタン等のゴムロールに巻いた形のロールが好ましく使用される。この場合のモルトンの表面は出来るだけ均質に繊維層が形成されていることが好ましく、毛羽立ちを抑える等の方法をとることで感光層表面を均一に擦過することが好ましい。さらには、モルトンロールは駆動ロールとして、搬送される版材の搬送速度に対して同期することなく、搬送方向と同方向或いは逆方向に回転させることで非画像部の残膜を効果的に除去することが好ましく行われる。駆動ロールが搬送方向と同方向に回転する場合においては、駆動ロール表面と搬送される版材表面の相対速度は同一ではなく駆動ロール表面の相対速度を速くすることで表面擦過の効果が現れるために好ましい。また、駆動ロールの回転方向が搬送方向と逆である場合においても表面が有効に擦過されるために好ましい。
【００１７】
本発明に於ける水洗部に設けられる現像促進部材のもう一つの好ましい例としてのブラシロールに関しては、ナイロン、ポリプロピレン等のブラシ線材を用いたブラシロールが好ましく、植え込みロールブラシおよびチャンネルロールブラシ等が好ましく使用される。この場合においてもブラシロールは駆動装置により駆動される駆動ロールであることが好ましく、版材の搬送方向に対して同方向あるいは逆方向に回転され、表面を擦過することが好ましい。
【００１８】
本発明において版材の搬送に関わる搬送用部材とは搬送用ロールとしての駆動ロールおよび非駆動ロール等が挙げられ、駆動ロールは駆動装置により版材を搬送するために用いられるゴムロール等を指し、回転速度は版材の搬送速度と同一であって表面を擦過することは無い。非駆動ロールは版材が搬送される際の支点、屈曲点の作用を有し、いわゆるガイドロールを意味する。
【００１９】
本発明に関わるアルカリ性現像液とは、水酸化ナトリウム、水酸化カリウム、水酸化リチウム、ケイ酸ナトリウム、メタケイ酸ナトリウム、ケイ酸カリウム、炭酸ナトリウム、炭酸カリウム、炭酸水素ナトリウム、炭酸水素カリウム等の無機アルカリや、モノエタノールアミン、ジエタノールアミン、トリエタノールアミン、モノイソプロパノールアミン、ジイソプロパノールアミン等の有機アミン類や、テトラメチルアンモニウムヒドロキシド、テトラブチルアンモニウムヒドロキシドなどの水酸化アンモニウム化合物などを含む液が好ましく、特に水酸化ナトリウムまたは水酸化カリウムとケイ酸カリウムを含む水溶液が好ましく使用される。さらには、アルカリ現像液中に各種界面活性剤としてアニオン系、カチオン系、ノニオン系、ベタイン系、フッ素系などの界面活性剤を添加することも好ましく行われる。また、エチレングリコール、プロピレングリコール、ベンジルアルコール等のアルコール系有機溶剤を添加することも好ましく行われる。
【００２０】
本発明による現像方法を使用して効果のある感光性平版印刷版とはネガ型の感光性平版印刷版であり、例えばジアゾ樹脂、ケイ皮酸誘導体樹脂、アジド化合物等を利用した光硬化系感光性組成物を利用した印刷版であり、或いは高感度フォトポリマー系を利用した平版印刷版や、高出力（近）赤外線レーザーを利用する系として例えば特開平７−２７１０２９号公報に記載されるような近赤外吸収色素、ノボラック樹脂、レゾール樹脂および光酸発生剤からなる感光性平版印刷版等の例が挙げられる。これらの内特に高感度フォトポリマーを利用した系や近赤外感光系などを利用した場合には感光層が比較的柔らかい場合があり、従来技術では画像部に傷が入りやすい場合があったが、本発明による現像方法ではこうした画像部への傷が有効に防止できるため特に好ましく使用することが出来る。
【００２１】
本発明を実施するにあたって好ましい感光性平版印刷版についてさらに説明する。本発明はネガ型の感光性平版印刷版の現像において特に有効であるが、場合によっては従来からの公知のポジ型の感光性平版印刷版の現像に適用することも可能である。ネガ型の感光性平版印刷版については、基本的に光重合開始剤および不飽和二重結合を有する化合物からなる感光層を設けた感光性平版印刷版について好ましく適用することが出来る。光重合開始剤の例としては（ａ）芳香族ケトン類、（ｂ）芳香族オニウム塩化合物、（ｃ）有機過酸化物、（ｄ）ヘキサアリールビイミダゾール化合物、（ｅ）ケトオキシムエステル化合物、（ｆ）アジニウム化合物、（ｇ）活性エステル化合物、（ｈ）メタロセン化合物、（ｉ）トリハロアルキル置換化合物および（ｊ）有機ホウ素化合物等が挙げられるが、これらの内で特に（ｂ）、（ｈ）、（ｉ）および（ｊ）に属する光重合開始剤を用いた系が好ましく、特にレーザー走査型露光方法により露光された版材を現像する際に本発明の効果が最も有効に発揮される。即ち、高感度なネガ型の感光性平版印刷版をレーザー走査露光により潜像を形成しこれを現像する場合において露光部と未露光部の間の現像液に対する溶解性の差が小さく微小網点や細線の再現が従来技術では困難であった場合においても本発明の方法により画質に優れ高耐刷力の印刷版を与えることが可能であることから極めて好ましく適用することが出来る。
【００２２】
本発明の現像方法を適用するに好ましい感光性平版印刷版の感光層を構成するもう一つの好ましい要素として不飽和二重結合を有する化合物が挙げられる。好ましい例としては、１，４−ブタンジオールジアクリレート、１，６−ヘキサンジオールジアクリレート、ネオペンチルグリコールジアクリレート、テトラエチレングリコールジアクリレート、トリスアクリロイルオキシエチルイソシアヌレート、トリプロピレングリコールジアクリレート、エチレングリコールグリセロールトリアクリレート、グリセロールエポキシトリアクリレート、トリメチロールプロパントリアクリレート、ペンタエリスリトールトリアクリレート、ペンタエリスリトールテトラアクリレート等の多官能アクリル系モノマーが挙げられる。或いは、上記の重合性化合物に代えてラジカル重合性を有するオリゴマーも好ましく使用され、アクリロイル基、メタクリロイル基を導入した各種オリゴマーとしてポリエステル（メタ）アクリレート、ウレタン（メタ）アクリレート、エポキシ（メタ）アクリレート等も同様に好ましく用いられる。或いは上記のような各種アクリレート系化合物以外にも、スチレン系二重結合を有する化合物も好ましく用いられ、例えば下記実施例１中、化３で示す化合物のように各種多官能性フェノール類、チオール類等にクロロメチルスチレンを付加することで合成される多官能性スチレン誘導体等が好ましく使用される。
【００２３】
上記のような不飽和二重結合を有する化合物を感光層中に導入して感光性平版印刷版を作成した場合に、感光層の強度が比較的弱く、現像槽中での現像促進部材による擦過による悪影響がしばしば見られたが、本発明の方法を使用することで上述したように数々の利点が発揮され極めて好ましく利用することが出来る。
【００２４】
本発明の方法を実施するに好ましい感光性平版印刷版の感光層を形成する他の要素としてアルカリ性現像液に可溶性を有する重合体が挙げられる。例えばフェノール樹脂、ポリヒドロキシスチレン等の芳香族環を有する重合体や、各種（メタ）アクリル酸エステルと（メタ）アクリル酸等の共重合体等のようにフェノール性水酸基やカルボキシル基等のアルカリ可溶性基を導入した重合体が好ましく使用できる。さらには下記実施例１中、化１で示す重合体のような重合体側鎖に不飽和二重結合を導入した重合体を使用することでレーザー走査露光用等高感度であることが要求される場合において好ましく用いることが出来る。
【００２５】
【実施例】
以下、実施例に基づいて本発明の効果を更に説明する。
（実施例１）
（ネガ型感光性平版印刷版の作成）
厚みが０．２４ｍｍである砂目立て処理を行った陽極酸化アルミニウム板を使用して、この上に下記の処方で示される感光性塗工液を乾燥厚みが２ミクロンになるようロールコーターにより塗布を行い、多数枚の感光性平版印刷版を作成した。感光性平版印刷版材料のサイズは６７０ｍｍ×５３０ｍｍの大きさに裁断して使用した。
＜感光性塗工液＞
重合体（下記化１）                       １０重量部
光ラジカル発生剤 （下記化２）              ２重量部
重合性化合物 （下記化３）                  ３重量部
増感色素（下記化４）                   ０．５重量部
１０％フタロシアニン分散液（着色用）       ５重量部
ジオキサン                               ７０重量部
シクロヘキサン                           ２０重量部
【００２６】
【化１】
0004237949.tif 000002
【００２７】
【化２】
0004237949.tif 000003
【００２８】
【化３】
0004237949.tif 000004
【００２９】
【化４】
0004237949.tif 000005
【００３０】
合成例１（化１の重合体の合成例）
ビスムチオール（２，５−ジメルカプト−１，３−４−チアジアゾール）１５０ｇを６００ｍｌのメタノール中に懸濁させ、冷却しながらトリエチルアミン１０１ｇを徐々に添加し、均一な溶液を得た。室温下に保ちながらｐ−クロロメチルスチレン（セイミケミカル製、ＣＭＳ−１４）を１０分に亘り滴下し、さらに３時間攪拌を続けた。反応生成物が次第に析出し、攪拌後に氷浴に移し内温を１０℃まで冷却した後、吸引濾過により生成物を分離した。メタノールにより洗浄を行い、真空乾燥器内で１昼夜乾燥することで収率７５％で化５に示す化合物を得た。
【００３１】
【化５】
0004237949.tif 000006
【００３２】
化５のモノマー４０ｇを攪拌機、窒素導入管、温度計、還流冷却管を備えた１リッター４ツ口フラスコ内にとり、メタクリル酸７０ｇおよびエタノール２００ｍｌ、蒸留水５０ｍｌを加え、攪拌しながら水浴上でトリエチルアミン１１０ｇを添加した。窒素雰囲気下で内温を７０℃になるよう加熱し、この温度でアゾビスイソブチロニトリル（ＡＩＢＮ）を１ｇ添加し、重合を開始した。６時間加熱攪拌を行い、その後重合系を室温まで冷却した。一部（を取り出し、希塩酸を加えてｐＨを３程度に調整し、これを水中にあけることで化６に示す構造のポリマーを得た。
【００３３】
【化６】
0004237949.tif 000007
【００３４】
上記の一部を取り出した残りの重合体溶液中に１，４−ジオキサン１００ｇおよびｐ−クロロメチルスチレンを２３ｇ加え、室温で更に１５時間攪拌を続けた。その後、濃塩酸（３５〜３７％水溶液）８５ｇを加え、系のｐＨが４以下になったことを確認後、３リッターの蒸留水中に全体を移した。析出した重合体を濾過により分離し、蒸留水にて洗浄を繰り返した後、真空乾燥器内で１昼夜乾燥した。収率９０％で目的とする重合体を得た。ゲルパーミエーションクロマトグラフィーによる分子量測定により重量平均分子量９万（ポリスチレン換算）の重合体であり、さらにプロトンＮＭＲによる解析により重合体化１の構造を支持するものであった。
【００３５】
合成例２（化２の合成例）
チオシアヌル酸８９ｇをメタノール１．５リッターに懸濁し、冷却しながら水酸化カリウム８４ｇを溶解した３０％水溶液を徐々に加え、均一な溶液を得た。これに、室温下でｐ−クロロメチルスチレン２３０ｇを内温が４０℃を越えないよう徐々に滴下した。添加後まもなく生成物が析出してくるが攪拌を続け、３時間攪拌を行った後に吸引濾過により生成物を分離した。メタノールにより洗浄を行い、真空乾燥器内で一昼夜乾燥を行った後、９０％の収率で化２で示される化合物を得た。
【００３６】
先の方法で作成した感光性平版印刷版を大日本スクリーン製造（株）製プレートセッターＰＴ−Ｒ４０００を用いて、ドラム回転速度１０００ｒｐｍ、解像度２４００ｄｐｉ、版面露光エネルギー１５０ｍＪ／ｃｍ2の条件で画像面積が２０％の条件でテスト画像の露光を行った。露光後の版材を下記処方の現像液を使用して、以下の条件で現像処理を行った。
【００３７】
現像液中成分として、ケイ酸カリウム水溶液は多摩化学工業（株）製のケイ酸カリウム水溶液を使用したが、これに含まれるＳｉＯ2は２０％であり、併せてＫＯＨが１０％含まれるものを使用した。このケイ酸カリウム水溶液に更にＫＯＨを添加することで下記に示されるような各々の比率になるように調整を行った（ＳｉＯ2／Ｋ2Ｏ＝１．２）。さらに界面活性剤としてポリエチレングリコール（付加モル数＝５）モノステアレートを０．１％になるよう加え、トータルの液量が１００リッターになるようイオン交換水を加えて現像液を作成した。
【００３８】
現像液（Ａ）処方
水酸化カリウム                                    １．２重量部
ケイ酸カリウム（ＳｉＯ2として）                   １．８重量部
ポリエチレングリコールモノステアリルエーテル      ０．１重量部
水                                              ９６．９重量部
【００３９】
本発明の現像方法を実施するための自動現像装置として三菱製紙（株）製Ｐ−α８８０を使用して上記の版材を現像処理した。Ｐ−α８８０は現像槽入り口および出口に搬送用駆動ロールがそれぞれ配置され、現像槽中央部最下点に非駆動ロールであるガイド用ロールが設置されており、版材表面を擦過する機構は一切設けられていない。現像槽に続く水洗部において、入り口および出口に搬送用駆動ロールが配置され、中央部に駆動ロールであるモルトンロールが設置されている。このモルトンロールは搬送方向に対して同方向に版材との相対速度が５倍になるように回転させ、表面を擦過するよう調整を行った。この水洗部において水洗水の供給装置として入り口側駆動ロールとモルトンロールの間および出口側駆動ロールとモルトンロールの間にそれぞれシャワー機構を設け版材表面に水洗水を供給するように設計された。尚、Ｐ−α８８０においては水洗部に続きさらに第二水洗部が設けられているが、本発明の実施例を遂行するためにこの第二水洗部は使用しなかった。Ｐ−α８８０における最終処理部にはガム液を供給するための機構が設けられており、ガム液として（株）日研化学研究所製日研ウルトラＰＳガムを水で１対１に希釈した液を使用した。
【００４０】
現像槽中には現像液（Ａ）を１８リットル投入し、補充液として現像液（Ａ）を１版当たり３０ｍｌを補充した。水洗水およびガム液は自動現像装置外部に設置したタンクから循環する形で供給を行った。
現像液中浸漬条件は液温３０℃で浸漬時間は１５秒に設定した。先に作成した露光済みの多数枚の感光性平版印刷版を一日当たり平均５０版を処理した。処理を行っていく際に、現像液の状態（着色の程度および懸濁物、スラッジの発生の有無）を観察した。下記表１中に示すように、現像液は初期には無色透明であったが、５００版程度以降の処理でやや着色が認められたものの懸濁物やスラッジの発生は認められなかった。
【００４１】
上記の処理を行った版材を以下の条件で印刷評価を行った。印刷機はＲｙｏｂｉ−５６０を使用し、印刷インキは大日本インキ（株）製Ｆグロス墨Ｂを使用し、湿し水は市販の湿し水を希釈して使用した。印刷評価項目として刷り始めからの紙へ転写するインキ濃度が十分でかつ安定化するまでの刷り枚数を以てインキ乗りとし、この枚数が少ないほど良好と評価した。また耐刷性についてはテスト画像中の微小網点および細線が欠落し始めるまでの刷り枚数を以て評価を行った。また、地汚れの有無は印刷物上の地汚れの有無を以て目視判定を行った。処理を継続して行った場合の印刷評価結果を表１に併せて示した。
【００４２】
【表１】
0004237949.tif 000008
【００４３】
更に上記の評価に加えて、各処理日において現像された印刷版の画像品質を評価した。評価項目は１３３線網点の再現レンジとして１％から９９％の範囲の網点が版材上で再現されているかの確認と、２０ミクロン細線が均質に再現されているかの確認および画像上の傷の有無、非画像部の残膜残りの有無を目視判定した。結果を表２に示したが、ランニング試験を通して良好な画質の版材が安定して得られた。
【００４４】
【表２】
0004237949.tif 000009
【００４５】
比較例１
上記実施例１で作成したネガ型感光性平版印刷版を使用し、同様に露光した版材を使用して自動現像装置として大日本スクリーン製造（株）製ＰＤ−９１２−Ｍを使用して現像を行った。尚、現像液は実施例１で作成した現像液（Ａ）を使用した。このＰＤ−９１２−Ｍにおいて現像槽中に駆動ロールであるモルトンロールが設置され、現像液中で版材表面が擦過される機構を有している。駆動ロールであるモルトンロールの回転方向は搬送方向と同一で、版材の搬送速度に対して約２倍の相対速度で回転することで表面の擦過を行った。
【００４６】
現像槽中には現像液（Ａ）を１８リットル投入し、補充液は現像液（Ａ）が１版当たり３０ｍｌ補充するよう設定した。ガム液は実施例１と同様に使用した。現像液中浸漬条件は液温３０℃で浸漬時間は１５秒に設定した。実施例１と全く同様にしてランニング試験を開始したが、初日の状態で現像不良のため非画像部の溶出が不完全で、モルトンロールが表面を擦過した際の筋上のムラが版面上に発生したため試験を中止した。
【００４７】
比較例２
前記実施例１で作成したネガ型感光性平版印刷版を使用し、同様に露光した版材を使用して自動現像装置として富士写真フィルム（株）製ＰＳ−９００Ｖを使用して現像を行った。尚、現像液は実施例１で作成した現像液（Ａ）を使用した。このＰＳ−９００Ｖにおいて現像槽中に駆動ロールであるブラシロールが設置され、現像液中で版材表面が擦過される機構を有している。駆動ロールであるブラシロールの回転方向は搬送方向と同一で、版材の搬送速度に対して約４倍の相対速度で回転することで表面の擦過を行った。
【００４８】
現像槽中には現像液（Ａ）を１８リットル投入し、補充液は現像液（Ａ）が１版当たり３０ｍｌ補充するよう設定した。ガム液は実施例１と同様に使用した。現像液中浸漬条件は液温３０℃で浸漬時間は１５秒に設定した。実施例１と全く同様にしてランニング試験を開始したが、初日の状態で現像不良のため非画像部の溶出が不完全で、ブラシロールが表面を擦過した際の線上のムラが版面上に発生したため試験を中止した。
【００４９】
以上の結果より、実施例１に見られるように、現像槽中での非画像部の溶出を行わずに水洗部において擦過除去することで、現像液の処理による劣化を防止し、長期のランニング使用においても安定して良好な製版画質および印刷性を与えることが明らかとなった。
【００５０】
実施例２および比較例３，４
厚みが０．２４ｍｍである砂目立て処理を行った陽極酸化アルミニウム板をさらに７０℃の珪酸ソーダ２．５％水溶液に１分間浸漬後水洗乾燥した支持体を使用し、実施例１で作成した塗布液を全く同様にして塗布、乾燥し、実施例と全く同様にしてネガ型の感光性平版印刷版を多数枚作成した。本実施例においては、実施例１における現像液（Ａ）に代えて富士写真フィルム（株）製現像液、ＤＮ−３Ｃを使用し、これを水で１：１に希釈した現像液（Ｂ）を使用した以外は全く同様にして以下の処理を行った。
【００５１】
実施例２においては自動現像装置としてＰ−α８８０を使用し、比較例３および４においてはそれぞれＰＤ−９１２−ＭおよびＰＳ−９００Ｖを使用して処理を行う以外は全く同様にして試験評価を行った。
【００５２】
実施例２においては処理開始直後から、現像槽中で感光層が溶出されるため、溶出した感光層成分による懸濁が認められた。処理開始４０日目以降より若干のインキ乗りおよび耐刷性の低下が認められたが実用的にはほぼ問題ないレベルであった。また、画質評価においても網点再現レンジの低下が認められたが軽微な変化であり、製版物上の傷や残膜残りも発生しなかった。
【００５３】
【表３】
0004237949.tif 000010
【００５４】
【表４】
0004237949.tif 000011
【００５５】
一方、比較例３においては、印刷評価は下記表５のような結果が得られたが、画質評価（表６）においては処理開始３０日目より画像上に傷の発生が認められ、網点再現レンジも実施例２に比較して顕著に劣る結果となった。
【００５６】
【表５】
0004237949.tif 000012
【００５７】
【表６】
0004237949.tif 000013
【００５８】
さらに、比較例４においては、印刷評価は下記表７のような結果が得られたが、画質評価（表８）においては処理開始３０日目より画像上に傷の発生が認められ、網点再現レンジも実施例２に比較して顕著に劣る結果となった。
【００５９】
【表７】
0004237949.tif 000014
【００６０】
【表８】
0004237949.tif 000015
【００６１】
以上の結果より、現像槽中で非画像部が溶解される場合においても、表面擦過が現像槽中で行われる場合に比較して、水洗部において擦過することで画像表面の傷の発生が防止され、良好な製版画質が安定して確保されることが明らかとなった。
【００６２】
【発明の効果】
本発明の現像方法によれば、ネガ型感光性平版印刷版を現像する場合において、画像品質に優れ、印刷時の地汚れの発生が無く、耐刷力に優れた印刷版を与える。